(57)【要約】【課題】本考案は、箸袋の一端に可撓性なる紐を取り付け栞として利用できる箸袋を提供する。【解決手段】本考案は、箸袋（１）の一端に可撓性なる紐（２）を取り付け、栞として利用できる箸袋として使用できる。【選択図】図１
0003121016.tif 000002
【実用新案登録請求の範囲】
【請求項１】
箸袋の一端に穴を設け、その穴を介して所定長さの紐を取り付け、栞として利用できることを特徴とする箸袋。
【請求項２】
箸袋の一端に、所定長さの紐を接着し、栞として利用できることを特徴とする箸袋。
【請求項３】
箸収納可能な少なくとも一部を収納できる所定の形状の外縁の一部に、所定の長さの紐を同時に接着し、栞として利用できることを特徴とする箸袋。
【請求項４】
幼児及び子供向けとして童謡歌詞やキャラクター等を印刷した、又印刷可能とした請求項１、請求項２及び請求項３に記載された栞として利用できることを特徴とする箸袋。
【請求項５】
提供者の広告、宣伝、土地（地域）に於ける行事やエベント等を印刷した、又印刷可能とした請求項１、請求項２及び請求項３に記載された栞として利用できることを特徴とする箸袋。
【請求項６】
箸袋の数辺に、開封可能なミシン目を入れ、メモ片としても使用可能とした請求項１、請求項２、請求項３、請求項４、及び請求項５に記載された栞として利用できることを特徴とする箸袋。
【請求項７】
箸袋の表面、裏面及び内面の数面に幼児及び子供向けとして、ぬりえの下書きを印刷した、又印刷を可能とした請求項１、請求項２、請求項３、請求項４、請求項５及び請求項６に記載された栞として利用できることを特徴とする箸袋。
【考案の詳細な説明】
【技術分野】
【０００１】  本考案は、箸袋全体もしくはその一部を栞として利用できる箸袋に関するものである。
【背景技術】
【０００２】  一般に、弁当、食堂、レストラン、旅館、ホテルなどに於いて提供される割り箸等には、衛生上の観点から箸袋に収納されている。その箸袋には飲食店名や商標、ロゴ等を印刷したり、カラフルなデザインをもって利用者の関心を得る箸袋もあるが、殆どは割り箸等を単に収納するものである（例えば、特許文献１及び実用新案文献１参照。）。【０００３】  また、箸袋または箸袋の一部を使って箸置きとするものもある（例えば、特許文献２及び実用新案文献２参照。）。【０００４】  そして、栞に於いても利便性から複数の頁を指示することのできる紐状栞（例えば、特許文献３参照。）とか、栞としての機能のなかで、それ以外の付加的機能をもたせた栞（例えば、特許文献４参照。）である。【０００５】
【特許文献１】  特開平１１−１４６８２５号広報
【特許文献２】  特開平７−３３１８１号広報
【特許文献３】  特開２００４−８２６８２号広報
【特許文献４】  特開２００４−２５８２７号広報
【実用新案文献１】
実開平６−７６１５７号広報
【実用新案文献２】
実開平６−１８２８７号広報
【考案の開示】
【考案が解決しようとする課題】
【０００６】  しかしながら、上述の如く、このような箸袋は、単に割り箸等を収納するもの、又前記特許文献２及び実用新案文献２のように箸袋、又は箸袋の一部を使って箸置きとするものであり、いずれも衛生上割り箸の使用後には、殆ど一回の使用で箸袋も捨てられ経済性が悪いという問題点があった。【０００７】  本考案が解決しようとする課題は、上述の如き従来の技術の問題点を鑑み実用上有益な箸袋を提供することにある。
【課題を解決するための手段】
【０００８】  上記課題を解決するため、請求項１に記載の本考案は、箸袋の一端に穴を設け、その穴を介して所定長さの紐を取り付け、栞として利用できることを特徴とする箸袋であって、この請求項１記載の本考案では、箸袋（１）の一端に設けられた穴（４）を介して可撓性なる所定長さの紐（２）を結び付けることにより、単に割り箸等を収納する箸袋にとどまらず、栞として有効利用できる。【０００９】  請求項２に記載の本考案は、箸袋の一端に、所定長さの紐を接着し、栞として利用できることを特徴とする箸袋であって、この請求項２記載の本考案では、箸袋（１）の一端に可撓性なる所定長さの紐（２）を接着することにより、単に箸袋にとどまらず、栞として有効利用できる。【００１０】  請求項３に記載の本考案は、箸収納可能な、少なくとも一部を収納できる所定の形状の外縁の一部に、所定長さの紐を同時に接着し、栞として利用できることを特徴とする箸袋であって、この請求項３記載の本考案では、図３及び図４に示すように、糊付けされた裏紙（１ａ）と表紙（１ｂ）の間に、可撓性なる所定長さの紐（２）を挟み込み、同時に接着することにより、単に割り箸等を収納する箸袋にとどまらず栞として有効利用できる。【００１１】  請求項４に記載の本考案は、子供向けとして童謡歌詞やキャラクターなどを印刷した、又印刷可能とした請求項１、請求項２および請求項３に記載された栞として利用できることを特徴とする箸袋であって、この請求項４記載の本考案では、図５及び図７に示すように、需要者特に幼児及び子供達の興味を惹く童謡歌詞やイラストなどを表示することにより、一般に無造作に捨てられる割り箸等を収納する箸袋にとどまらず、栞として有効利用できる。【００１２】  請求項５に記載の本考案は、提供者の広告、宣伝、土地（地域）に於ける行事やエベント等を印刷した、又印刷可能とした請求項１、請求項２及び請求項３に記載された栞として利用できることを特徴とする箸袋であって、この請求項５記載の本考案では、図６に示すように、需要者の注意を促し興味を惹く提供者の広告、宣伝、土地（地域）に於ける行事やエベント等を写真やイラスト等にて表示することにより、単に割り箸等を収納する箸袋にとどまらず、栞として有効利用できる。【００１３】  請求項６に記載の本考案は、箸袋の数辺に開封可能なミシン目を入れ、メモ片としても使用可能とした請求項１、請求項２、請求項３、請求項４及び請求項５に記載された栞として利用できることを特徴とする箸袋であって、この請求項６記載の本考案は、図８に示すように、箸袋（１）の数辺にミシン目（６）を入れることにより、需要者は開封し易く何の抵抗もなくメモ用紙と成し兼ね、単に割り箸等を収納する箸袋にとどまらず、栞として有効利用できる。【００１４】  請求項７に記載の本考案は、箸袋の表面、裏面及び内面の数面又は数面に跨がって幼児及び子供向けとして、ぬりえの下書きを印刷した、又印刷を可能とした請求項１、請求項２、請求項３、請求項４、請求項５、及び請求項６に記載された栞として利用できることを特徴とする箸袋であって、この請求項７に記載の本考案は、図９及び図１０に示すように、一面もしくは、数面又は数面に跨がって、ぬりえの下書きを���刷し幼児及び子供向け箸袋とすることにより、単に割り箸等を収納する箸袋にとどまらず、ぬりえ及び栞として有効利用できる。
【考案の効果】
【００１５】  上述の様に、本考案は請求項１、請求項２、請求項３に記載の如く箸袋の一端、又は一部に紐を取り付けることにより、単に箸袋にとどまらず、栞として利用できる。【００１６】  また、請求項４、請求項５、請求項６の箸袋の使用方法によれば、幼児子供を含む需要者の注意を促し興味を惹き、単に箸袋としての利用時には、利用後はゴミとして処分せざるを得なかったが、本考案によれば栞として利用できるので需要者が持ち帰りゴミの減量化もなし得る。
【考案を実施するための最良の形態】
【００１７】  一実施例をもって説明すると、従来の箸袋図１１の一端、又は一部に穴を設け、その穴を介して所定長さの紐を取り付け（図１）、又は従来の箸袋図１１の一端、又は一部に所定長さの紐を接着し、栞として利用できる箸袋である（図２、図３）。【００１８】  また、上述の図１、図２、図３の形態にとどまらず、幼児及び子供向けとして童謡歌詞、キャラクターやぬりえなど（図５、図７、図９、図１０）、又提供者の広告、宣伝、土地（地域）に於ける行事やエベント等（図６）を印刷した、又印刷可能とした栞として利用できる箸袋である。
【実施例】
【００１９】  以下、本考案の実施例を図面に基づいて説明する。図１で示す実施例１は箸袋（１）の一端に穴（４）を設け、その穴（４）を介して所定長さの可撓性なる紐（２）を取り付けることにより、栞として利用できる箸袋である。【００２０】  図２で示す実施例２は、箸袋（１）の一端に可撓性なる紐（２）を接着し栞として利用できる箸袋である。【００２１】  図３で示す実施例３は、箸袋（１）の一端に可撓性なる紐（２）を図４に示す様に、糊付けされた裏紙（１ａ）と表紙（１ｂ）の間に挟み込み、同時に接着することにより栞として利用できる箸袋である。【００２２】  図５、図７で示す実施例４は、実施例１、実施例２、実施例３の箸袋（１）に幼児及び子供向けとして童謡歌詞やキャラクターなどを印刷した又印刷を可能とした箸袋である。【００２３】  図６で示す実施例５は、実施例１、実施例２、実施例３の箸袋（１）に提供者の広告、宣伝、土地（地域）に於ける行事やエベントなどを印刷した又印刷可能とした箸袋である。【００２４】  図８で示す実施例６は、実施例１、実施例２、実施例３の箸袋（１）の数辺に、開封可能なミシン目（６）を入れ、メモ片として利用できる箸袋である。【００２５】  図９、図１０で示す実施例７は、実施例１、実施例２、実施例３の表面、裏面及び内面の数面に幼児及び子供向けとして、ぬりえの下書きを印刷した、又印刷を可能とした箸袋である。【００２６】  以上本考案の実施態様について説明したが、上述の説明に基づいて種々の代替、変更、変形が可能であり、本考案の趣旨を逸脱しない範囲で前述の種々の代替、変更、変形を包含するものである。
【図面の簡単な説明】
【００２７】
【図１】本考案による栞として利用できる箸袋を形成する実施例１の平面図である。
【図２】本考案による栞として利用できる箸袋を形成する実施例２の平面図である。
【図３】本考案による栞として利用できる箸袋を形成する実施例３の平面図である。
【図４】図３の実施態様の袋部を開いた接着前の平面図である。
【図５】本考案による栞として利用できる箸袋を形成する実施例４の平面図である。
【図６】本考案による栞として利用できる箸袋を形成する実施例５の平面図である。
【図７】図５の実施態様を変形した平面図である。
【図８】本考案による栞として利用できる箸袋を形成する実施例６の平面図である。
【図９】本考案による栞として利用できる箸袋を形成する実施例７の平面図である。
【図１０】図９の実施態様を適用した他の実施態様の平面図である。
【図１１】従来の箸袋の平面図である。
【符号の説明】
【００２８】１  箸袋
１ａ  裏紙
１ｂ  表紙
２  紐
３  箸
４  穴
５  糊
６  ミシン目
【図１】
0003121016.tif 000003
【図２】
0003121016.tif 000004
【図３】
0003121016.tif 000005
【図４】
0003121016.tif 000006
【図５】
0003121016.tif 000007
【図６】
0003121016.tif 000008
【図７】
0003121016.tif 000009
【図８】
0003121016.tif 000010
【図９】
0003121016.tif 000011
【図１０】
0003121016.tif 000012
【図１１】
0003121016.tif 000013